(57)【要約】【課題】点字ディスプレイを用いて、任意のフロア情報の表示、行先階を点字や凸文字、凸記号により情報提供することができるエレベータの操作盤を得る。【解決手段】エレベータの制御装置に接続され、タッチパネル式の操作ボタンを備えたものにおいて、操作盤１に取り付けられたタッチパネル２と、タッチパネルにより構成されたパネルディスプレイの表面上に設置されたディスプレイカバー３と、ディスプレイカバーと一体又は別体に設けられ、点字・凸表記が任意に行えるシート型の点字・凸表記ディスプレイ５とを備える。【選択図】図１
2007314300.tif 000002
【特許請求の範囲】
【請求項１】
エレベータの制御装置に接続され、タッチパネル式の操作ボタンを備えたエレベータの操作盤において、
前記操作盤に取り付けられたタッチパネルと、
前記タッチパネルにより構成されたパネルディスプレイの表面上に設置されたディスプレイカバーと、
前記ディスプレイカバーと一体又は別体に設けられ、点字・凸表記が任意に行えるシート型の点字・凸表記ディスプレイと、
を備えたことを特徴とするエレベータの操作盤。
【請求項２】
シート型の点字・凸表記ディスプレイは、アクチュエーターをフレキシブル基板に形成した有機トランジスタで駆動され、通電によって表面に突起部が出現したり、突起部が消えることで点字・凸表記を作り出すものであることを特徴とする請求項１記載のエレベータの操作盤。
【請求項３】
タッチパネルのディスプレイ表面上に、任意の点字・凸表記を作り出すシート型の点字・凸表記ディスプレイを備えたディスプレイが設置され、前記点字・凸表記ディスプレイの近傍に設置された前記ディスプレイカバーを押すことで、前記ディスプレイカバーが凹んだ時にタッチパネルが操作されることを特徴とする請求項１記載のエレベータの操作盤。
【請求項４】
タッチパネルのディスプレイ表面上に、任意の点字・凸表記を作り出すシート型の点字・凸表記ディスプレイを備えたディスプレイが設置され、前記点字・凸表記ディスプレイを押すことで、前記点字・凸表記ディスプレイが凹んだ時にタッチパネルが操作されることを特徴とする請求項１記載のエレベータの操作盤。
【請求項５】
シート型の点字・凸表記ディスプレイは、階床、階床名、マーク等を表記することを特徴とする請求項１記載のエレベータの操作盤。
【請求項６】
シート型の点字・凸表記ディスプレイは、乗場操作盤に設けられ、エレベータの行先方向を矢印、三角記号等からなるマークで凸表記することを特徴とする請求項１又は請求項２記載のエレベータの操作盤。
【発明の詳細な説明】
【技術分野】
【０００１】
この発明は、エレベータの操作盤に関するものである。
【背景技術】
【０００２】
従来のエレベータの操作表示器具においては、点字を判読できない視覚障害者でも、容易に操作できるように、図形等からなるシンボルとしての凸状物を操作ボタンのボタン表面に設けたものが提案されている（例えば、特許文献１参照）。また、タッチパネル式の操作表示器具においては、表面に凸文字付透明ドーム部を有するディスプレイカバーを備え、ディスプレイカバーの凸文字付透明ドーム部は、指で押すと反転して凹みタッチパネルへの接触動作を行うとともに、指を離すと元のドーム状に復元するものが提案されている（例えば、特許文献２参照）。
【０００３】
【特許文献１】特開２００３−１２２４８号公報
【特許文献２】特開２００５−８２２９９号公報
【発明の開示】
【発明が解決しようとする課題】
【０００４】
上記のような従来技術は、凸文字を階床毎に追加する形式を提案するものであり、任意のフロア情報や行先階床文字に表示切換可能である点字ディスプレイを意識したものではなく、任意の情報及び階床が変わる毎に新たに設置しなければならないという問題点があった。
【０００５】
この発明は上記のような課題を解決するためになされたもので、点字ディスプレイを用いて、任意のフロア情報の表示、行先階を点字や凸文字、凸記号により情報提供することができるエレベータの操作盤を提供するものである。
【課題を解決するための手段】
【０００６】
この発明に係るエレベータの操作盤は、エレベータの制御装置に接続され、タッチパネル式の操作ボタンを備えたものにおいて、操作盤に取り付けられたタッチパネルと、タッチパネルにより構成されたパネルディスプレイの表面上に設置されたディスプレイカバーと、ディスプレイカバーと一体又は別体に設けられ、点字・凸表記が任意に行えるシート型の点字・凸表記ディスプレイとを備えたものである。
【発明の効果】
【０００７】
この発明によれば、点字ディスプレイにより点字表記が任意に行うことができ、点字による情報を容易に提供することができる。また、点字だけでなく、ドットマトリックスで凸表示させて、数字や記号表示を可能としたので、視覚障害者で点字が読めない人でも判読が可能になるという効果がある。
【発明を実施するための最良の形態】
【０００８】
実施の形態１.
図１はこの発明の実施の形態１におけるエレベータの操作盤を示す正面図、図２は図１のＡ−Ａ線に沿った断面図、図３はこの発明の実施の形態１におけるエレベータの操作盤をキー操作した状態を示す断面図、図４はこの発明の実施の形態１におけるエレベータの操作盤の全体構成を示すブロック図である。
【０００９】
図１において、エレベータの制御装置（図示せず）に接続された操作盤１には、タッチパネル２が取り付けられている。シート型の点字・凸表記ディスプレイ付ディスプレイカバー３は、タッチパネル２のディスプレイ表面部４の表面上に設置されている。シート型の点字・凸表記ディスプレイ付ディスプレイカバー３には、ディスプレイカバー３と一体又は各キー毎に別体に嵌め込まれる構造のシート型の点字・凸表記ディスプレイ５が設けられている。操作盤１におけるタッチパネル２には、タッチパネル２の接触操作のための押しボタンの対象となるキーを構成する複数のボタン要素が設けられている。これらのボタン要素すなわちキーは、所定の配列でタッチパネル２の表面に配置されている。ここでは、タッチパネル２には、フロアインフォメーションを表示切換できる特定行先ボタン６Ｆ、任意の行先階床表示に切り替わる行先ボタン６Ｉ、及びエレベータのドアを制御する戸開閉ボタン６Ｄが設けられ、点字・凸表記ディスプレイ５はそれぞれのボタンの表示内容に合わせて点字及び凸表記で任意に変えることができる。それぞれのボタンは、図２に示すように、タッチパネル２のディスプレイ表面部４と接するディスプレイカバー３及びフレキシブル基板７によりそれぞれ構成される。また、操作盤１には、画像や文字情報を表示するディスプレイ領域８及びかごの位置や方向を表示するインジケータ９が設けられている。図２において、点字・凸表記ディスプレイ５は、点字・凸形状１０を形成するシートから構成されており、１１は点字・凸形状を形成させるアクチュエーター部、７はアクチュエーター部１１を駆動するためのフレキシブル基板を示す。上記シート型の点字・凸表記ディスプレイ５は、例えば、有機トランジスタを使ったもので、高分子材料を使ったアクチュエーターを、フレキシブル基板に形成した有機トランジスタで駆動する方式である。このシート型の点字・凸表記ディスプレイは、通電によって表面に突起部が出現したり、突起部が消えたりすることで点字・凸表記を作り出す電子式の点字板である。
上記の構成は、エレベータの乗場に設置される乗場操作盤又はかご内に設置されるかご操作盤に適用されるもので、操作盤は全てタッチパネル２によって操作される。
【００１０】
以上の構成により、タッチパネル２のディスプレイ表面上に、任意の点字を作り出すシート型の点字・凸表記ディスプレイ５を備えたディスプレイカバー３が設置されており、この点字・凸表記ディスプレイ５の近傍に設置されているディスプレイカバー３を指で押すことで、図３に示すように、ディスプレイカバー３が凹んだ時にタッチパネル２のディスプレイ表面部４に接触することで間接的にタッチパネル２を操作することになる。
これにより、ボタンを検索する際に誤って登録してしまうということが無くなり、健常者と視覚障害者が共に利用できるタッチパネル式の操作盤を提供することができる。
図４は操作盤の全体構成を示すブロック図である。図４において、１２はかごの走行位置を検出するかご位置検出部、１３はＣＰＵ、１４は記憶部、１５は点字ディスプレイ駆動部、１６は点字・マーク表示部、１７はタッチパネル表示部である。かごが階床を通過する毎にかごの位置を一旦記憶部１４へ格納する。そして、点字で階床名、例えば１、２のような数字、フロア名（ロビー、フロント、レストラン、ラウンジなど）、又は凸点で数字（例えば、１、２の数字を凸文字で表記）や、マーク（開閉等のシンボルマークを凸点で表記）を表記する場合は、ＣＰＵ１３より記憶部１４に記憶された点字コードを呼び出し、これに対する制御信号によって点字ディスプレイ駆動部１５を駆動させて、点字・マーク表示部１６に点字や凸点で構成したマーク等を表記する。また、表示文字を画像で表記する場合は、ＣＰＵ１３より記憶部１４に格納された階床を呼び出し、これに対する制御信号によってタッチパネル表示部１７に階床名（数字、フロア名（ロビー、フロント、レストラン、ラウンジなど））を表記する。  
【００１１】
実施の形態２.
図５はこの発明の実施の形態２におけるエレベータの操作盤を示す断面図、図６はこの発明の実施の形態２におけるエレベータの操作盤をキー操作した状態を示す断面図である。
【００１２】
上記実施の形態１では、タッチパネル２のディスプレイ表面上に、任意の点字を作り出すシート型の点字・凸表記ディスプレイ５を備えたディスプレイカバー３を設置し、この点字・凸表記ディスプレイ５の近傍に設置されているディスプレイカバー３を指で押すことで、ディスプレイカバー３が凹んだ時にタッチパネル２のディスプレイ表面部４に接触することで間接的にタッチパネル２を操作することにしたが、この実施の形態２においては、図５に示すように、タッチパネル２のディスプレイ表面上に、任意の点字を作り出すシート型の点字・凸表記ディスプレイ５を備えたディスプレイカバー３が設置されており、図６に示すように、この点字・凸表記ディスプレイ５を指で押すことで、点字・凸表記ディスプレイ５が凹んだ時にタッチパネル２のディスプレイ表面部４に接触することで間接的にタッチパネル２を操作することなる。また、このシート型の点字・凸表記ディスプレイ５は、シートの剛性を点字・凸表示に触る程度では撓まない程度のディスプレイカバー３で挟み込んでいる。これにより、ボタンを検索する際に誤って登録してしまうということが無くなり、健常者と視覚障害者が共に利用できるタッチパネル式の操作盤を提供することができる。
【００１３】
実施の形態３.
図７はこの発明の実施の形態３におけるエレベータの操作盤の戸開ボタンを示す正面図である。
この実施の形態３においては、点字・凸表記ディスプレイを応用し、エレベータのドアを制御する戸開ボタン６Ｄの戸開表示をドットマトリックスで凸形状１０を形成できるようにしたものである。すなわち、エレベータのドアの開放記号を凸形状で表したものである。この他に数字をこのように凸形状で形どって構成することも可能である。
【００１４】
実施の形態４.
図８はこの発明の実施の形態４におけるエレベータの乗場操作盤を示す正面図、図９は図８のＢ−Ｂ線に沿った断面図、図１０はエレベータの行先方向を点字ディスプレイにてボタン表面に凸表記した例を示す正面図である。
【００１５】
図において、２１はエレベータの制御装置（図示せず）に接続された乗場操作盤である。乗場操作盤２１には、エレベータの行先方向を登録する上り呼びボタン２２及び下り呼びボタン２３が設けられており、これら各ボタン２２、２３には点字ディスプレイにてボタン表面に凸形状２４の矢印で凸表記したり、凸形状２４の三角記号で凸表記することにより、エレベータの行先方向を表わしても良い。なお、２５はかごの位置や方向を表示するインジケータである。これにより、ボタンを接触する際に視覚障害者が誤って行先の違うエレベータに乗り込むことを防ぐことが可能なタッチパネル式の乗場操作盤を提供することができる。
【図面の簡単な説明】
【００１６】
【図１】この発明の実施の形態１におけるエレベータの操作盤を示す正面図である。
【図２】図１のＡ−Ａ線に沿った断面図である。
【図３】この発明の実施の形態１におけるエレベータの操作盤をキー操作した状態を示す断面図である。
【図４】この発明の実施の形態１におけるエレベータの操作盤の全体構成を示すブロック図である。
【図５】この発明の実施の形態２におけるエレベータの操作盤を示す断面図である。
【図６】この発明の実施の形態２におけるエレベータの操作盤をキー操作した状態を示す断面図である。
【図７】この発明の実施の形態３におけるエレベータの操作盤の戸開ボタンを示す正面図である。
【図８】この発明の実施の形態４におけるエレベータの乗場操作盤を示す正面図である。
【図９】図８のＢ−Ｂ線に沿った断面図である。
【図１０】エレベータの行先方向を点字ディスプレイにてボタン表面に凸表記した例を示す正面図である。
【符号の説明】
【００１７】
１  操作盤
２  タッチパネル
３  ディスプレイカバー
４  ディスプレイ表面部
５  点字・凸表記ディスプレイ
６Ｆ  特定行先ボタン
６Ｉ  行先ボタン
６Ｄ  戸開閉ボタン
７  フレキシブル基板
８  ディスプレイ領域
９  インジケータ
１０  点字・凸形状
１１  アクチュエーター部
１２  かご位置検出部
１３  ＣＰＵ
１４  記憶部
１５  点字ディスプレイ駆動部
１６  点字・マーク表示部
１７  タッチパネル表示部
２１  乗場操作盤
２２  上り呼びボタン
２３  下り呼びボタン
２４  凸形状
２５  インジケータ
【図１】
2007314300.tif 000003
【図２】
2007314300.tif 000004
【図３】
2007314300.tif 000005
【図４】
2007314300.tif 000006
【図５】
2007314300.tif 000007
【図６】
2007314300.tif 000008
【図７】
2007314300.tif 000009
【図８】
2007314300.tif 000010
【図９】
2007314300.tif 000011
【図１０】
2007314300.tif 000012